(57)【要約】 【課題】  回転ブラシの回転が停止した際に生ずる、吸込口体の操作性悪化を改善する。【解決手段】  強運転において（ステップ１０で「Ｙｅs」）、回転ブラシの運転が停止している場合に（ステップ１１で「Ｙes」）、強運転時の電力よりも低い電力（標準運転の中間運転時の電力や弱運転時の電力よりも高い）を電動送風機９へ供給する（ステップ１２）。【選択図】図１
2010088638.tif 000002
【特許請求の範囲】
【請求項１】
塵埃を吸引するための電動送風機と吸引した塵埃を集塵する集塵室を有する掃除機本体と、前記掃除機本体に接続されるホースと、前記ホース先端部に取り付けられ、電気掃除機の運転を切り替えるためのスイッチを有するホース手元操作部と、回転ブラシとそれを駆動させる回転ブラシモータを備えた吸込口体と、前記ホース手元操作部と前記吸込口体との間に着脱自在に装着できる延長管とを備えた電気掃除機において、
前記ホース手元操作部に設置された、前記回転ブラシモータの出力を指示できる回転ブラシモータ駆動指示手段と、
前記回転ブラシモータ駆動指示手段により前記回転ブラシモータの出力が変更された際、前記回転ブラシモータの出力の変更に連動して前記電動送風機への入力を変更する入力連動手段とを備えたことを特徴とする、電気掃除機。
【請求項２】
前記入力連動手段は、前記電動送風機の入力が最も高い運転モードのときに動作することを特徴とする、請求項１に記載の電気掃除機。
【発明の詳細な説明】
【技術分野】
【０００１】
本発明は電気掃除機に係わり、特に操作性の改善によって利用者の利便性向上を図った電気掃除機に関する。
【背景技術】
【０００２】
現在の掃除機では、吸込口体内に電動モータによって駆動される回転ブラシを組み込まれているものが多い。このような構成にすることで、例えば絨毯の目の深いところにあるごみの捕集能力や、吸込口の自走性を向上させ、掃除性能や操作性を実現している。
【０００３】
また、この回転ブラシの動作・停止を、必要に応じて利用者が指示することができる。一般的には、ホース先端部に取り付けられ、電気掃除機の運転を切り替えるためのスイッチを有するホース手元操作部に、回転ブラシの動作・停止指示を行うスイッチを取り付けることが多い（例えば特許文献１）。
【０００４】
【特許文献１】特開平７−５１２０８号公報
【発明の開示】
【発明が解決しようとする課題】
【０００５】
しかし、単純に回転ブラシの動作を停止させてしまうと、吸込口体が床面と密着し、十分な操作性を得ることが困難になることがある。特に、電動送風機への入力を最も高い動作モード（強運転、またはターボ運転などと呼ばれる）で絨毯上を掃除している際には、非常に強い操作力が必要となる。
【０００６】
そこで、本発明の目的は、吸込口体に取り付けられた回転ブラシの動作を停止させた際、吸込口体が床面に過度に密着せず、十分な操作性を得る方法を、利用者にとって分かり易い操作方法で提供可能な電機掃除機を提供することにある。
【課題を解決するための手段】
【０００７】
本発明は、ホース手元操作部に回転ブラシモータの出力を指示できる回転ブラシモータ駆動指示手段（例えば、回転ブラシ切／入スイッチ）を有し、その回転ブラシモータ駆動指示手段により回転ブラシモータの出力が変更された際（例えば、出力停止となった際）、回転ブラシモータの出力の変更に連動して電動送風機への入力（例えば、電力）を変更する入力連動手段（例えば、マイコンや電動送風機駆動手段）を持つことを特徴とする。
【０００８】
好ましくは、この入力連動手段は、電動送風機の入力が最も高い運転モードのときに動作する。
【発明の効果】
【０００９】
本発明によれば、回転ブラシモータの出力の変更に連動して電動送風機への入力を変更するため、回転ブラシが停止した際にも十分な操作性を維持することができる。
【００１０】
また、本発明によれば、入力連動手段が、電動送風機の入力が最も高い運転モードのときに動作するため、入力が低い運転モードにおいても十分な吸引力を維持することができる。
【発明を実施するための最良の形態】
【００１１】
以下、本発明の実施例を図面にて説明する。
【００１２】
図２は電気掃除機の全体的な構成を示すものであり、１は電気掃除機本体、２はホース、３は手元操作部、４は延長管、５は吸込口である。また、電気掃除機本体１内部に制御回路８，電動送風機９を内蔵している。
【００１３】
図３は吸込口５の内部構造を示したものであり、６は床面の塵埃を掻き込む回転ブラシ、７は回転ブラシモータである。回転ブラシ６は、回転ブラシモータ７より駆動力伝達手段（図示せず）によって駆動力を与えられることで回転する。
【００１４】
図４は、電気掃除機の結線図である。制御回路８は掃除機の制御全般を司るプログラムが組み込まれたマイコン（マイクロコンピュータ）４１，電動送風機９と回転ブラシモータ７を駆動するための電動送風機駆動手段４２，回転ブラシ駆動手段４３を持つ。また、ホース２に取り付けられている手元操作部３からの指示情報を受信する。なお、駆動手段４２，４３は、一般的にトライアックなどの素子が使われる。
【００１５】
図５は手元操作部３の詳細を示したものであり、それぞれ回転ブラシの動作の切／入を押下ごとに切り替える回転ブラシ（パワーブラシ）切／入スイッチ３１，押下ごとに掃除機の強運転（一定の強い吸引力）と弱運転（一定の弱い吸引力）を切り替える強／弱運転スイッチ３２，押下に応じて回転ブラシの負荷に応じた掃除機の運転を行う標準スイッチ３３，押下に応じて掃除機の運転を停止する切スイッチ３４の４種類のスイッチがある。これらのスイッチを押下することで、利用者は用途に合わせた電動送風機９への電力供給を選択できる。電動送風機９への電力は、強運転で最大となり、弱運転で最小となり、標準スイッチ３３の押下により選択される標準運転では回転ブラシの負荷に応じて最小から最大までの間を変動することになる。また、電動送風機９の回転数および電動送風機９による吸引力は、電動送風機９へ供給される電力に依存し、電動送風機９へ供給される電力が大きいほど、電動送風機９の回転数および電動送風機９による吸引力も大きくなる。
【００１６】
以下、マイコン４１に組み込まれたプログラムの動作のひとつである、回転ブラシ６を停止させたときの運転動作について図１のフローチャートを用いて説明する。
【００１７】
掃除機が停止状態にあるとき、強／弱運転スイッチ３２を１回押下することで、「強」運転を開始する。これは、電動送風機９へ入力する電力を最も大きくする指示であり、強い吸引力を出すことができる。尚、強／弱運転スイッチ３２をもう１回押下することで、「強」運転から「弱」運転に切り替わる。
【００１８】
このとき、強運転判定ステップ１０において、強運転か否かを判定する。強運転判定ステップ１０によって強運転と判定されると（Ｙes）、回転ブラシ切／入スイッチ判定ステップ１１において、回転ブラシ切／入スイッチ判定を行う。これは、回転ブラシ切／入スイッチ３１を押下することによって回転ブラシ６の動作を停止させる指示があるかどうかを判定するものである。つまり、回転ブラシが停止しているかどうかを判定する。
【００１９】
もし、回転ブラシ切／入スイッチ３１が押下され、回転ブラシ６が停止されると、つまり、回転ブラシ切／入スイッチ判定ステップ１１において、回転ブラシが停止している（Ｙes）と判定されると、処理ステップ１２により、強運転時の電動送風機９の電力よりも低い電力を電動送風機９へ供給するよう指示する。強運転時の電力よりも低い電力は、例えば、０Ｗを０％とし強運転時の電力を１００％とすると、８０％や９０％程度である。強運転時の電力よりも低い電力は、予めレジスタなどに設定しておき、処理ステップ１２において、マイコン４１が、そのレジスタから電力値を読み出し、電動送風機駆動手段４２へ送信するのが好ましい。強運転時の電力よりも低い電力は、弱運転時の電力よりも高く、さらに、標準運転の中間運転時の電力よりも高いのが好ましい。ここて、標準運転の中間運転時とは、標準運転での基準となる運転である。
【００２０】
また、この状態で再度回転ブラシ切／入スイッチ３１が押下されると、回転ブラシ６を回転させると共に、処理ステップ１３により強運転としての電力を電動送風機９へ供給する。つまり、回転ブラシ切／入スイッチ判定ステップ１１において、回転ブラシが停止していない（Ｎo）と判定されると、処理ステップ１３により、強運転時の電力を電動送風機９へ供給するよう指示する。強運転時の電力も、予めレジスタなどに設定しておき、処理ステップ１３において、マイコン４１が、そのレジスタから電力値を読み出し、電動送風機駆動手段４２へ送信するのが好ましい。
【００２１】
また、強運転判定ステップ１０によって強運転でない（Ｎo）と判定されると、処理ステップ１４により、弱運転時の電力を電動送風機９へ供給するよう指示する。弱運転時の電力も、予めレジスタなどに設定しておき、処理ステップ１４において、マイコン４１が、そのレジスタから電力値を読み出し、電動送風機駆動手段４２へ送信するのが好ましい。
【００２２】
一方、掃除機が停止状態にあるとき、強／弱運転スイッチ３２ではなく、標準スイッチ３３が押下されると、標準運転を開始し、回転ブラシの負荷に応じた電力を電動送風機９へ供給するよう指示する。回転ブラシの負荷が大きいほど、電動送風機９へ供給する電力も大きくするのが好ましい。
【図面の簡単な説明】
【００２３】
【図１】動作フローチャート。
【図２】電気掃除機の全体構成図。
【図３】吸込口の内部構造。
【図４】電気掃除機の結線図。
【図５】手元操作部の構成図。
【符号の説明】
【００２４】
１  電気掃除機本体
２  ホース
３  手元操作部
４  延長管
５  吸込口
６  回転ブラシ
７  回転ブラシモータ
８  制御回路
９  電動送風機
【図１】
2010088638.tif 000003
【図２】
2010088638.tif 000004
【図３】
2010088638.tif 000005
【図４】
2010088638.tif 000006
【図５】
2010088638.tif 000007